(57)【要約】【課題】  火災時の熱により障子の反りや伸びが生じたときに、枠と障子との間の隙間から火炎が噴出するのを防止できる建具を提供する。【解決手段】  枠３に対して障子を開閉自在に支持した建具１は、障子戸先側で竪框２１の外周面に設けた係止部材２５と、竪枠１３の内周面に設けた受け２７とを備え、係止部材２５は竪枠１３側に向けて突出した被係止部２５ｂを有し、受け２７は内周方向に突出した受け部２９を有し、受け部２９には係止部材２５の被係止部２５ｂよりも見込み方向室外側に位置する見込み方向係止部３３ａと、係止部材２５の被係止部２５ｂよりも外周側に位置する見付け方向係止部３３ｂとが設けてあり、竪框２１が熱により伸びたときに、係止部材２５の被係止部２５ｂが受け２７の受け部２９の見込み方向係止部３３ａ及び見付け方向係止部３３ｂに係止する。【選択図】図１
2014009495.tif 000002
【特許請求の範囲】
【請求項１】
枠と、枠に開閉自在に支持した障子と、障子戸先側で竪框の外周面に設けた係止部材と、竪枠の内周面に設けた受けとを備え、係止部材は竪枠側に向けて突出した被係止部を有し、受けは内周方向に突出した受け部を有し、受け部には係止部材の被係止部よりも見込み方向室外側に位置する見込み方向係止部と、係止部材の被係止部よりも外周側に位置する見付け方向係止部とが設けてあり、障子竪框が熱により伸びたときに、係止部材の被係止部が受けの受け部の見込み方向係止部及び見付け方向係止部に係止することを特徴とする建具。
【発明の詳細な説明】
【技術分野】
【０００１】
本発明は、すべり出しサッシ、開きサッシ、外倒しサッシ等の障子を枠に対して開閉自在に支持したサッシやドア等の建具に関する。
【背景技術】
【０００２】
特許文献１には、枠と、枠に開閉自在に支持した障子を備える建具において、障子と枠をリンク機構で連結して障子の開閉に追随できるようにすると共に、火災時にはリンク機構により障子の脱落を防止することが開示されている。
【先行技術文献】
【特許文献】
【０００３】
【特許文献１】特開２００９−２２８３４３号公報
【発明の概要】
【発明が解決しようとする課題】
【０００４】
しかし、障子の脱落前に、火災時の熱による障子の反りや伸びにより障子と枠との間に隙間が生じることがあり、この隙間が大きくなるとその隙間から火炎を噴出するという不都合があった。
【０００５】
そこで、本発明は、火災時の熱により障子の反りや伸びが生じたときに、枠と障子との間の隙間から火炎が噴出するのを防止できる建具の提供を目的とする。
【課題を解決するための手段】
【０００６】
請求項１に記載の発明は、枠と、枠に開閉自在に支持した障子と、障子戸先側で竪框の外周面に設けた係止部材と、竪枠の内周面に設けた受けとを備え、係止部材は竪枠側に向けて突出した被係止部を有し、受けは内周方向に突出した受け部を有し、受け部には係止部材の被係止部よりも見込み方向室外側に位置する見込み方向係止部と、係止部材の被係止部よりも外周側に位置する見付け方向係止部とが設けてあり、障子竪框が熱により伸びたときに、係止部材の被係止部が受けの受け部の見込み方向係止部及び見付け方向係止部に係止することを特徴とする建具である。
【発明の効果】
【０００７】
請求項１記載の発明によれば、火災時の熱により障子の竪框が伸びたときに、係止部材の被係止部が受けの見込み方向係止部に係止することで、障子の戸先側が枠から室外側へ離れて障子と枠との間の隙間から火炎が噴出するのを防止できる。
また、係止部材の被係止部が受けの見付け方向係止部に係止することで、左右の竪框の伸びの違い等により、竪框に障子面内方向の反りが生じても反りが大きくなって竪枠と竪框との間の隙間から火炎が噴出するのを防止できる。
【図面の簡単な説明】
【０００８】
【図１】本発明の実施の形態にかかる建具の横断面図である。
【図２】本発明の実施の形態にかかる建具の縦断面図である。
【図３】図１に示す竪枠を内周側から見た断面図であり、係止部材との位置関係を示す図である。
【図４】図１に示す竪枠を内周側から見た断面図であり、火災時における係止部材との位置関係を示す図である。
【図５】受けの図であり、（ａ）は正面図であり、（ｂ）は平面図であり、（ｃ）は側面図であり、各々係止部材との位置関係を示す図である。
【図６】係止部材の図であり、（ａ）は正面図であり、（ｂ）は平面図であり、（ｃ）は側面図である。
【発明を実施するための形態】
【０００９】
以下に、添付図面を参照して本発明の実施の形態を詳細に説明する。図１及び図２に示すように、本実施の形態に係る建具１は、外倒しサッシであり且つアルミ形材とアルミ形材の室内側に設けた樹脂形材からなるアルミ樹脂複合サッシである。
建具１は、枠３と、障子５とを備え、障子５はその下端に取り付けた障子支持部材７により上端が枠３に対して開閉自在に支持されている。障子支持部材７は、ヒンジであり、この実施の形態では、障子５の上端５ａが戸先側になっている。
枠３は、アルミニウム製の上枠９、下枠１１及び左右の竪枠１３、１３を枠組してあり、各々室内側には樹脂製形材１５が取付けてある。
障子３はアルミニウム製の上框１７、下框１９及び左右の竪框２１、２１をガラス４の四周に框組してあり、各框１７、１９、２１、２１の室内側には樹脂製形材２３が取付けてある。
【００１０】
図２に示すように、下框１９の下端には鋼材製の補助材５２がねじで固定してあり、補助材５２は下框１９に取り付けた樹脂製形材２３の下端を受けている。
下框１９の内部には鋼材製の補強材４５が設けてあり、左右の竪框２１、２１の内部にも鋼材製の補強材４６が設けてある。
ガラス４の四周にはガラスの端部を保持するグレイジングガスケット４９が設けてあり、各障子の框１７、１９、２１、２１のガラス保持溝５１には、溝壁とグレイジングガスケット４９との間にスチール製のガラス保持溝補強材５３が設けてある。
また、ガラス４の各コーナー部には、鋼材製のガラス間口コーナー金具４７が設けてある。
【００１１】
図１及び図３に示すように、障子５において、障子戸先側（上端側）で左右の竪框２１、２１の外周面には各々係止部材２５がねじ２６で固定してあり、左右の竪枠１３、１３の内周面には受け２７がねじ２８で固定してある。
左右一方の竪框２１に設けた係止部材２５とこれに対向する竪枠１３に設けた受け２７とは、左右の他方の竪框２１に設けた係止部材２５とこれに対向する竪枠１３に設けた受け２７と同じ構造であるから、以下の説明では、一方の係止部材２５と受け２７について説明する。
係止部材２５は鋼材製であり、図１、図３及び図６に示すように、竪框２１の外周面にねじ２６で固定する２つのねじ固定部２５ａとねじ固定部２５ａ間で枠側に向けて突設する被係止部２５ｂが設けてある。
受け２７は鋼材製であり、図３に示すように、係止部材２５の被係止部２５ｂに対して上下方向にずれた位置にあり、本実施の形態では係止部材２５の被係止部２５ｂよりも上側に設けてある。
【００１２】
図１、図３及び図５に示すように、受け２７は、内周方向に突出した受け部２９、２９と、連結部３１とを有し、受け部２９は上下に間隔をあけて対向して２つ設けてあり、２つの受け部２９、２９は連結部３１で繋いである。受け２７は２つの受け部２９、２９と連結部３１とでコ字型形状を成しており、連結部３１はねじ２８で竪枠１３に固定している。
２つの受け部２９、２９は同一形状であり、各々係止部材２５の被係止部２５ｂよりも見込み方向室外側に位置する見込み方向係止部３３ａと、係止部材２５の被係止部２５ｂよりも障子外周側に位置する見付け方向係止部３３ｂとが設けてある。見込み方向係止部３３ａと見付け方向係止部３３ｂとで略直角を形成している。
各受け部２９、２９には竪枠１３の内周面に設けた後述する第５熱膨張耐火材３２ｅを挿通する挿通部２９ａが形成されており、挿通部２９ａは竪枠１３の内周面との間に隙間形成するように凹んだ凹部である。
【００１３】
次に、火災時の熱により発泡する熱膨張耐火材及び熱膨張耐火材に関連する構造について説明する。図２に示すように、下枠１１の上面には、下框１９の下端に設けた補助材５２の室内側端部に向けて発泡する第１熱膨張耐火材３２ａ及び補助材３４の下面に向けて発泡する第２熱膨張耐火材３２ｂが設けてあり、下枠１１の室外側見付け面には下框１９の室外側下端部１９ａに向けて発泡する第３熱膨張耐火材３２ｃが設けてある。第１〜第３の熱膨張耐火材３２ａ、３２ｂ、３２ｃは各々下枠１１の長手方向に亘って設けてある。
第１熱膨張耐火材３２ａは、熱膨張耐熱材保持具３４により保持されており、第２及び第３熱膨張耐火材３２ｂ、３２ｃは第１押さえ具３５ａにより保持されている。
第１押さえ具３５ａは、下枠１１の長手方向に間隔をあけて設けてあり、各第１押さえ具３５ａは、下枠１１の上面側に位置する上面部３７と室外側見付け面側に位置する見付け面部３９とを有し、上面部３７をねじ４１で下枠１１に固定してある。見付け面部３９は、下端を下枠１１のコーナー部１１ａに当接してあり、見付け面部３９には第３熱膨張耐火材３２ｃが発泡する為の切除部４３が形成されている。尚、図２に一点鎖線で抜き出して示しているのは、第１押さえ具３５ａの見付け面部３９を室外側から見た正面図である。
第１押さえ具３５ａは、その上面部３７の室内側端で第２熱膨張耐火材３２ｂの室外側端を上から押えており、見付け面部３９の切除部４３の縁部で第３熱膨張耐火材３２ｃを押えている。
【００１４】
上枠９の内周面には、上框１７の外周面に向けて発泡する第４熱膨張耐火材３２ｄが熱膨張耐火材保持具３４に保持されている。
図１に示すように、左右の竪枠１３、１３の各内周面には、対向する竪框２１、２１に向けて発泡する第５熱膨張耐火材３２ｅが竪枠１３、１３の長手方向に亘って設けてあり、第５熱膨張耐火材３２ｅは長手方向に間隔をあけて設けた第２押さえ具３５ｂで竪枠１３の内周面に押えている。第２押さえ具３５ｂは室内側部を受け２７を枠受け２７を固定するねじ２８で竪枠１３、１３に固定し、室外側端で第５熱膨張耐火材３２ｅの室内側端を上から押えている。
また、竪枠１３、１３の室内側には、竪框２１の室内側端に向けて発泡する第６熱膨張耐火材３２ｆが設けてあり、この第６熱膨張耐火材３２ｆは、第２押え具３５ｂの室内側に形成された熱膨張耐火材保持部３４に保持されている。即ち、第２押さえ具３５ｂには熱膨張耐火材保持部３４が一体に形成されている。
【００１５】
図１及び図２に示すように、上框１７、左右の竪框２１、２１には、対向する枠９、１３、１３との間の空間に向けて発泡する第７熱膨張耐火材３２ｇが設けてあり、各第７熱膨張耐火材３２ｇの框外周側部を、各框１７、２１、２１の外周側端部２２で保持してある。
ガラス間口コーナー金具４７の外周面には第８熱膨張耐火材３２ｈが設けてあり、火災時にガラス保持溝補強材５３との間を塞ぐようになっている。
ガラス間口補強材４５の内周面には火災時にガラス間口との間を塞ぐ第９熱膨張耐火材３２ｉが設けてある。
図１に示すように、左右の竪框２１、２１のガラス保持溝５１には、その室内側に第１０熱膨張耐火材３２ｊが設けてあり、火災時にガラス保持溝補強材５３との間を塞ぐようになっている。
【００１６】
図２に示すように、下框１９の内部に設けた補強材４５の上面には下框１９の上壁に形成されている排水穴に対向する位置に第１１熱膨張耐火材３２ｋが設けてあり、補強材４５の下面にも下框１９の下壁１９ｂに形成されている各排水穴に対向する位置に第１２熱膨張耐火材３２ｍ及び第ｌ３熱膨張耐火材３２ｎが設けてあり、火災時に各排水穴を塞ぐようになっている。
尚、上述した第１熱膨張耐火材３２ａ及び第４熱膨張耐火材３２ｄ及び第９熱膨張耐火材３２ｉは熱が伝わり難い箇所に設けてあるので低温熱発泡体（約１６０℃で発泡を開始する）が用いられており、その他の熱膨張耐火材、即ち第２熱膨張耐火材３２ｂ、第３熱膨張耐火材３２ｃ、第５熱膨張耐火材３２ｅ〜第８熱膨張耐火材３２ｈ、第１０熱膨張耐火材３２ｊ〜第１３熱膨張耐火材３２ｎには一般的な熱発泡体（約２００℃で発泡を開始する）が用いられている。
【００１７】
次に、本実施の形態にかかる建具１の作用効果について説明する。
図３及び図５に示すように、通常時には受け２７に対して竪框２１の長手方向で係止部材２５の被係止部２５ｂが離れた位置にあり、障子５を開閉するときに邪魔にならない。尚、図５には受け２７を示しているが二点鎖線で通常時における係止部材２５の位置を示している。
図４に示すように、火災時には、火災の熱により障子５の竪框２１が伸びると、係止部材２５の被係止部２５ｂが受け２７の見込み方向係止部３３ａに室内側で対向し且つ係止することで、障子５の戸先側が枠３から室外側へ離れて障子５と枠３との間の隙間から火炎が噴出するのを防止する。
また、係止部材２５の被係止部２５ｂが受け２７の見付け方向係止部３３ｂに係止することで、左右の竪框２１、２１の伸びの違い等により、竪框２１に障子面内方向の反りが生じたときに反りが大きくなって竪枠１３とこの竪枠１３に対向する竪框２１との間の隙間から火炎が噴出するのを防止する。
【００１８】
図５に示すように、受け２７は、受け部２９を上下に間隔をあけて対向して２つ設けてあると共に２つの受け部２９は同一形状としてあり連結部３１で２つの受け部２９を繋いでいるから、同一種類の受け２７を、左右の竪枠１３、１３のいずれにも取り付けできると共に、上下を逆さにして取り付けることもできる。また、竪框２１に熱伸びの違いがあっても係止部材２５の被係止部２５ｂを上下どちらかの受け部２９に係止することができる。
図１に示すように、竪枠１３の内周面には、長手方向に亘って第５熱膨張耐火材３２ｅが設けてあり、受け２７の受け部２９には第５熱膨張耐火材３２ｅを挿通する挿通部２９ａが設けてあるから、第５熱膨張耐火材３２ｅが剥がれた場合に受け２７が受けることができ、第５熱膨張耐火材３２ｅが落下するのを防止できる。また、受け２７が邪魔にならずに第５熱膨張耐火材３２ｅを竪枠１３の長手方向に亘って配置できる。
図２に示すように、下枠１１に設けた第２熱膨張耐火材３２ｂ及び第３熱膨張耐火材３２ｃは、第１押さえ具３５ａで押さえてあるので、既設の下枠１１に第２熱膨張耐火材３２ｂ及び第３熱膨張耐火材３２ｃを落下しないように取り付けできる。また、第１押さえ具３５ａには見付け面部３９に切除部４３を形成しているので、第１押さえ具３５がある位置でも第３熱膨張耐火材３２ｃを発泡させることができる。
【００１９】
火災時に、障子５の樹脂製形材２３が焼け落ちた場合でも、火災の熱により下枠１５に設けた第１熱膨張耐火材３２ａが膨張して、下框１９の補助材５２の室内側端に向けて膨張し、補助材５２との間の空間を塞ぐ。これにより、火災時に障子３の下框１９と下枠１１との間から外気が室内に入り込んだり、室内の炎を外に噴出するのを防止できる。
障子の上框１７と上枠９との間では、第４熱膨張耐火材３２ｄ及び第７熱膨張耐火材３２ｇが膨張して、上框１７と上枠９との間の空間を塞ぐ。したがって、上框１７と上枠９との間においても、火災時にこれらの間から外気が室内に入り込んだり、室内の炎を外に噴出するのを防止できる。
図１に示すように、左右の竪枠１３、１３に設けた第６熱膨張耐火材３２ｆは、室内側において各々竪框２１、２１の見込面と室内側見付面とのコーナー部２１ａに対向して設けてあると共に火災の熱により膨張して室内側からコーナー部２１ａに当接する。第６熱膨張耐火材３２ｆは、障子との距離が最も近い位置に配置しているので、火災時に膨張したときに左右の竪枠１３、１３と、障子３の竪框２１、２１との間を確実に且つ容易に塞ぐことができる。
【００２０】
上框１７、下框１９及び左右の竪框２１には、ガラス保持溝２１内にスチール製のガラス保持溝補強材５３が設けてあり、ガラス保持溝補強材５３によりガラスの四周を保持しているので、火災時にアルミニウム製の上框１７、下框１９及び竪框２１、２１が溶けた場合でもガラス４を保持して、ガラス４の脱落を防止できる。
更に、各ガラス保持溝補強材５３には、ガラス４の端面に対向して第９熱膨張耐火材３２ｉが設けてあり、火災時に第９熱膨張耐火材３２ｉが熱膨張してガラス４の端面との間を塞ぐから、ガラス保持溝補強材５３とガラス４の端面との間から、外気が室内に入り込んだり室内の炎を外に噴出するのを防止できる。
また、各ガラス間口コーナー金具４７に設けた第８熱膨張耐火材３２ｈが、火災時にガラス間口コーナー金具４７とガラス保持溝補強材５３との間を塞ぎ、ガラス保持溝補強材５３に設けた第９熱膨張耐火材３２ｉがガラス保持溝補強材５３とガラス４の端面との間を塞ぐ。また、図１に示すように、左右の竪框２１、２１では、ガラス保持溝５１の室内側に設けた第１０熱膨張耐火材３２ｊが火災時にガラス保持溝補強材５３との間を塞ぐ。
【００２１】
本発明は、上述した実施の形態に限らず、本発明の要旨を逸脱しない範囲で種々変形可能である。
例えば、受け２７は２つの受け部２９、２９を設けることに限らず、一つの受け部２９のみであっても良い。
建具１は、外倒しサッシに限らず、すべり出サッシ、たてすべり出しサッシ、開きサッシ、回転サッシなどの枠３に障子５を開閉自在に支持されたサッシや、ドアであって合っても良い。建具１がドアの場合には障子５はドア本体である。
たてすべり出しサッシ及び開きサッシ等の縦軸回転サッシや、ドアに受け２７と係止部材２５を設ける場合には、戸先竪枠２１の上側と下側の２箇所に受け２７を設け、これに対応して障子５の戸先框２１の２箇所に係止部材を設けても良い。また、受け２７と係止部材２５は３箇所以上の複数箇所に設けても良く、これらを設ける数は制限されない。
建具１はアルミ樹脂複合サッシに限らず、アルミ形材のみで構成された建具であっても良い。
【符号の説明】
【００２２】
１    建具
３    枠
５    障子
７    障子支持部材
１３  竪枠
２１  竪框
２５  係止部材
２５ｂ  被係止部
２７  受け
２９  受け部
３３ａ  見込み方向係止部
３３ｂ  見付け方向係止部
【図１】
2014009495.tif 000003
【図２】
2014009495.tif 000004
【図３】
2014009495.tif 000005
【図４】
2014009495.tif 000006
【図５】
2014009495.tif 000007
【図６】
2014009495.tif 000008